Podtech/llm-jp-corpus-v4-ja_patent huggingface dataset:
【手続補正書】
【提出日】平成26年5月19日(2014.5.19)
【手続補正１】
【補正対象書類名】特許請求の範囲
【補正対象項目名】全文
【補正方法】変更
【補正の内容】
【特許請求の範囲】
【請求項１】
平行部２５ａと両端のＵ字状の湾曲部２５ｂにより構成される環状磁心２５と、前記環状磁心２５の平行部２５ａに、複数の部分に分けて間隙１２ａを空けて分割巻きされる１次コイル１２と、前記１次コイル１２と共に環状磁心２５の平行部２５ａに巻回され、前記１次コイル１２に設けられた前記各間隙１２ａに１個ずつ挟み込むように、複数の正側コイル１４と複数の負側コイル１６とを交互に配列した２次コイルと、前記複数の正側コイル１４は全て並列接続されるかもしくは全部または一部が直列接続され、前記複数の負側コイル１６は全て並列接続されるかもしくは全部または一部が直列接続され、前記接続された複数の正側コイル１４と前記複数の負側コイル１６とが互いに直列接続されるように、前記正側コイル１４と負側コイル１６の端子間を電気接続をする導体群を有し、かつ、前記導体群により、前記全ての正側コイル１４と負側コイル１６とを一方の面上に支持固定する接続基板６２を備え、前記複数の正側コイル１４の一方の端子は、前記接続基板６２の他方の面上で、前記環状磁心２５の平行部２５ａに平行な方向に伸びた第１連結極板４４に電気接続され、前記複数の負側コイル１６の一方の端子は、前記接続基板６２の他方の面側で、前記環状磁心２５の平行部２５ａに平行な方向に伸びた第２連結極板４６に電気接続され、前記正側コイル１４と負側コイル１６の他端は、共に、前記接続基板６２の他方の面側で、前記環状磁心２５の平行部２５ａに平行な方向に伸びた第３連結極板４８に電気接続され、前記第１連結極板４４には、正側導体３０が連結され、前記第２連結極板４６には、負側導体３２が連結され、前記正側導体３０と負側導体３２とは、前記接続基板６２の他方の面側において、当該他方の面から垂直に離れる方向に伸びる境界面に配置された絶縁層３１を介して重ね合わされた一対の導体板であって、前記正側導体３０と第１極板３４に挟まれて、前記正側導体３０に負極を接触させ前記第１極板３４に正極を接触させた整流素子１８と、前記負側導体３２と第２極板３６に挟まれて、前記負側導体３２に負極を接触させ前記第２極板３６に正極を接触させた整流素子２０と、前記第１極板３４と前記第２極板３６を支持し、両者を電気接続する第３極板３８とを備えていることを特徴とする溶接トランスと、
高周波交流を溶接トランスの１次コイルに供給し２次コイルに生起する電流を直流化して電極に供給する方式の溶接装置に適用される抵抗溶接方法であって、
溶接電流供給開始時刻ｔ０からその後の時刻ｔ１までの、電流増加率が最大の部分を立ち上げ制御期間Ｔ１と呼び、これに続く時刻ｔ１から時刻ｔ２までの、ピーク電流値Ｃ１に近い所定レベルの電流を維持する期間をピークレベル制御期間Ｔ２と呼び、その後の時刻ｔ２から電流遮断時刻ｔ３に至るまでの期間を、温度維持制御期間Ｔ３と呼ぶとき、
前記立ち上げ制御期間Ｔ１は１０ミリ秒以下とし、前記立ち上げ制御期間Ｔ１と前記ピークレベル制御期間Ｔ２の和の（Ｔ１＋Ｔ２）時間は１５ミリ秒以下とし、前記立ち上げ制御期間Ｔ１と前記ピークレベル制御期間Ｔ２と前記温度維持制御期間Ｔ３の和の（Ｔ１＋Ｔ２＋Ｔ３）時間は、５０ミリ秒以下としたことを特徴とする制御方法の溶接制御電源装置と、
これらの装置を使い、フランジ部を有し、その下端面は平らな面を持つ溶接スタッドを前記フランジ部から上電極で給電し、抵抗溶接することを特徴とするスタッド溶接方法。
【請求項２】
前記溶接スタッドのフランジ部をなくし、更に、上端面および下端面は平らな面を形成し、前記上端面から上電極で給電し、抵抗溶接することを特徴とする請求項１記載のスタッド溶接方法。
【手続補正２】
【補正対象書類名】明細書
【補正対象項目名】０００２
【補正方法】変更
【補正の内容】
【０００２】
鋼板などの金属板に溶接される溶接用のスタッドとして一般的に用いられているのはアーク溶接で接合するスタッド（特許文献１、特許文献２、特許文献３参照）と抵抗溶接で接合するプロジェクションスタッド（特許文献４、図１２参照）がある。
これらは、プロジェクション溶接用としてＪＩＳＢ１１９５で制定された溶接ボルトと異なり、鋼板に挿入用の孔を必要としていない。そのため、ＪＩＳ制定の溶接ボルトの溶接状態に比較して、余分な孔がなく、見映えも良い。
アーク溶接での接合では、薄い鋼板へ溶接する場合は、外観面や変形などの優位性から、コンデンサを用いて瞬間的な放電で溶接するＣＤ方式（Ｃａｐａｃｉｔoｒ  Ｄｉｓｃｈａｒｇｅ）と呼ばれる工法が多く用いられている。しかし、その溶接での結合は充分な強度とは言い難く、高い強度を要する機能には適していない。
一方、抵抗溶接での従来の工法では、溶接スタッドの先端にプロジェクションを必要とし、溶接した鋼板の裏面に圧痕や溶融熱による焼けが生じ、外観面での難点がある。
【手続補正３】
【補正対象書類名】明細書
【補正対象項目名】０００６
【補正方法】変更
【補正の内容】
【０００６】
〈構成２〉
前記溶接スタッドのフランジ部をなくし、更に、上端面および下端面は平らな面を形成し、前記上端面から上電極で給電し、抵抗溶接することを特徴とする構成１記載のスタッド溶接方法。
【手続補正書】
【提出日】平成26年7月14日(2014.7.14)
【手続補正１】
【補正対象書類名】明細書
【補正対象項目名】０００８
【補正方法】変更
【補正の内容】
【０００８】
上記目的を達成するため、本発明のガス系消火設備用の消音機能を有する噴射ヘッドは、消火剤ガスを使用するガス系消火設備において消火対象区画に消火剤ガスを放出するために設置される消音手段を備えた噴射ヘッドであって、前記消音手段を、消火剤ガスが供給される配管に螺合して接続された噴射ヘッドの内部に形成した凹部にオリフィスを形成した部材を配設するとともに、オリフィスの出口部に消火剤ガスが流通可能な繊維状又は多孔性の気流の乱れをなくす材料を配設して構成したことを特徴とする。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】変更
【補正の内容】
【００１５】
そして、前記消音手段を、オリフィスの形状によるものとすることにより、消音手段を簡易な構造とし、噴射ヘッドをコンパクトに構成でき、既存の設備にもそのまま適用することができる。
【手続補正７】
【補正対象書類名】特許請求の範囲
【補正対象項目名】全文
【補正方法】変更
【補正の内容】
【特許請求の範囲】
【請求項１】
消火剤ガスを使用するガス系消火設備において消火対象区画に消火剤ガスを放出するために設置される消音手段を備えた噴射ヘッドであって、前記消音手段を、消火剤ガスが供給される配管に螺合して接続された噴射ヘッドの内部に形成した凹部にオリフィスを形成した部材を配設するとともに、オリフィスの出口部に消火剤ガスが流通可能な繊維状又は多孔性の気流の乱れをなくす材料を配設して構成したことを特徴とするガス系消火設備用の消音機能を有する噴射ヘッド。
【手続補正書】
【提出日】平成26年4月18日(2014.4.18)
【手続補正１】
【補正対象書類名】特許請求の範囲
【補正対象項目名】全文
【補正方法】変更
【補正の内容】
【特許請求の範囲】
【請求項１】
流れ発生装置における悪化する欠陥の検知方法であって、
前記流れ発生装置は、前記流れ発生装置の治療的使用中に自動制御の下でモータによって動かされるインペラを有する、方法において、
前記流れ発生装置によって発生した加圧された呼吸に適したガスの流れを供給するステップと、
前記流れ発生装置が前記加圧された呼吸に適したガスの流れを発生させる場合に、前記モータに供給されたモータ電流を測定するステップと、
前記モータによって発生された入力モータトルク値を、少なくとも部分的に前記モータ電流に基づいて決定するステップと、
出力モータトルク値を決定するステップと、
前記出力モータトルク値と前記入力モータトルク値との間の差を計算するステップと、
少なくとも部分的に前記差に基づいて欠陥が前記流れ発生装置内で悪化しているかどうかを判断するステップと、
を備える方法。
【請求項２】
前記入力モータトルク値を決定するステップは、モータ制御システムのモデルからの推測にさらに基づくことを特徴とする請求項１に記載の方法。
【請求項３】
前記入力モータトルク値を決定するステップは、モータ制御システムの参照表にさらに基づくことを特徴とする請求項１に記載の方法。
【請求項４】
警報を起動させるステップ、及び／又は前記欠陥の悪化が評価された場合に、流れ発生装置を保守を必要とするモードにするステップをさらに備えることを特徴とする請求項１〜３のいずれか一項に記載の方法。
【請求項５】
前記差を所定の閾値と比較するステップをさらに備えることを特徴とする請求項１〜４のいずれか一項に記載の方法。
【請求項６】
前記差が特定の時間量に対する所定の閾値を超えている場合に、欠陥の悪化を表示するステップをさらに備えることを特徴とする請求項５に記載の方法。
【請求項７】
前記差をローパスフィルタによってフィルタするステップをさらに備えることを特徴とする請求項１〜４のいずれか一項に記載の方法。
【請求項８】
前記ローパスフィルタは、一時的な誤差を削減するように構成されていることを特徴とする請求項７に記載の方法。
【請求項９】
フィルタされた前記差を所定の閾値と比較するステップをさらに備える請求項７〜８のいずれか一項に記載の方法。
【請求項１０】
前記差が特定の時間量に対する前記所定の閾値を超えている場合に、欠陥の悪化を表示するステップをさらに備えていることを特徴とする請求項９に記載の方法。
【請求項１１】
環境圧力、温度、及び粘度のうちの１つ以上の変化を修正するステップをさらに備えていることを特徴とする請求項１〜１０のいずれか一項に記載の方法。
【請求項１２】
前記モータのタービンからの出力を測定するステップであって、測定された出力は圧力、流量、及び／又は回転スピードを含んでいるステップにおいて、
前記出力モータトルク値の決定が少なくとも部分的に前記測定された出力に基づいていることを特徴とする請求項１〜１１のいずれか一項に記載の方法。
【請求項１３】
加圧された呼吸に適したガスの流れを供給するためのタービンベースの換気装置において、
供給されるべき前記加圧された呼吸に適したガスの流れを発生させるために、インペラを駆動するように構成されたモータと、
前記モータが前記加圧された呼吸に適したガスの流れを発生させる間に、前記モータに供給されるモータ電流を測定する変換器と、
前記モータ／インペラのための閉ループの制御装置と、
を備えるタービンベースの換気装置であって、
前記制御装置はさらに、前記タービンベースの換気装置の治療のための使用中に前記タービンベースの換気装置の悪化する欠陥の存在を検出するように構成されており、
前記悪化する欠陥の存在は、入力モータトルク値と出力モータトルク値との比較に基づいて検出されており、
前記入力モータトルク値は、少なくとも部分的に前記モータ電流に基づいている、タービンベースの換気装置。
【請求項１４】
患者インターフェースに接続された可撓導管をさらに備え、該可撓導管と前記患者インターフェースとは、患者に前記加圧された呼吸に適したガスの供給を行うために好適であることを特徴とする請求項１３に記載の装置。
【請求項１５】
前記変換器は、モータ電流を測定するように構成されたトランスコンダクタンス増幅器をさらに備えていることを特徴とする請求項１３〜１４のいずれか一項に記載の装置。
【請求項１６】
患者に供給される圧力、流量、インペラの回転速度、及びモータ電流を測定する及び／又は計算することができる少なくとも１つの変換器をさらに備えることを特徴とする請求項１３〜１５のいずれか一項に記載の装置。
【請求項１７】
前記入力モータトルク値の決定は、モータ電流及び／又はモータ制御システムのモデルからの推定に基づいていることを特徴とする請求項１３〜１５のいずれか一項に記載の装置。
【請求項１８】
前記入力モータトルク値の決定は、モータ電流及び／又はモータ制御システムの参照表に基づいていることを特徴とする請求項１３〜１６のいずれか一項に記載の装置。
【請求項１９】
前記比較の値をフィルタするように構成されたローパスフィルタをさらに備えていることを特徴とする請求項１３〜１８のいずれか一項に記載の装置。
【請求項２０】
前記ローパスフィルタは一時的な誤差を削減するように構成されていることを特徴とする請求項１９に記載の装置。
【請求項２１】
前記制御装置は、警報を起動させるようにさらに構成されており、及び／又は前記悪化する欠陥が検出される場合に、前記換気装置を保守を必要とするモードにするようにさらに構成されていることを特徴とする請求項１３〜２０のいずれか一項に記載の装置。
【請求項２２】
前記比較の値は、前記出力モータトルク値と前記入力モータトルク値との差であることを特徴とする請求項１３〜２１のいずれか一項に記載の装置。
【請求項２３】
前記制御装置は、前記差を所定の閾値と比較するようにさらに構成されていることを特徴とする請求項２２に記載の装置。
【請求項２４】
前記制御装置は、前記差が特定の時間量に対する前記所定の閾値を超えている場合に、前記悪化する欠陥の存在を表示するようにさらに構成されていることを特徴とする請求項２３に記載の装置。
【請求項２５】
前記制御装置は、フィルタされた比較の値を所定の閾値と比較するようにさらに構成されていることを特徴とする請求項１９〜２０のいずれか一項に記載の装置。
【請求項２６】
前記制御装置は、前記フィルタされた比較の値が特定の時間量に対する所定の閾値を超える場合に、前記悪化する欠陥の存在を表示するようにさらに構成されていることを特徴とする請求項２５に記載の装置。
【請求項２７】
前記制御装置は、前記モータに指令して、環境圧力及び／又は温度における変化を修正するように構成されていることを特徴とする請求項１３〜２６のいずれか一項に記載の装置。
【請求項２８】
タービンベースの換気装置は、流量設定型、容量設定型、及び／又は圧力設定型の装置であることを特徴とする請求項１３〜２７のいずれか一項に記載の装置。
【請求項２９】
前記タービンベースの換気装置は、ＰＡＰ装置であることを特徴とする請求項１３〜２８のいずれか一項に記載の装置。
【手続補正書】
【提出日】平成26年6月25日(2014.6.25)
【手続補正１】
【補正対象書類名】特許請求の範囲
【補正対象項目名】全文
【補正方法】変更
【補正の内容】
【特許請求の範囲】
【請求項１】
遊技の演出を行う複数の演出装置を制御する演出制御手段を備え、
前記複数の演出装置を複数グループに分割し、該分割されたグループに属する演出装置を制御するためのグループ単位制御手段をグループ毎に設け、
前記演出制御手段を、複数の前記グループ単位制御手段を統括的に制御するグループ統括制御手段として構成し、
前記グループ統括制御手段は、
前記グループ単位制御手段との間を接続するデータ線の信号レベルを制御することによりデータを伝達する信号レベル制御手段を備え、
前記グループ単位制御手段は、
遊技機に備わる可動部材を動作させることにより遊技の演出を行う可動装置のグループを制御する可動グループ単位制御手段と、
発光することにより遊技の演出を行う発光装置のグループを制御する発光グループ単位制御手段と、を含み、
前記グループ統括制御手段は、当該可動グループ単位制御手段が制御する前記可動部材を初期位置に戻す初期位置動作を実行させる一方で、
該可動部材が初期位置に戻される間であっても、前記信号レベル制御手段は、前記発光グループ単位制御手段に対して発光制御データの伝達を行なうことを特徴とする遊技機。
【手続補正２】
【補正対象書類名】明細書
【補正対象項目名】０００５
【補正方法】変更
【補正の内容】
【０００５】
特許文献１に記載された遊技機では、配線を十分に削減することができなかった。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
本発明は、グループ統括制御手段とグループ単位制御手段とを接続する接続線の数を削減することのできる遊技機を提供することを目的とする。
【手続補正７】
【補正対象書類名】明細書
【補正対象項目名】００１０
【補正方法】変更
【補正の内容】
【００１０】
本発明は、遊技の演出を行う複数の演出装置を制御する演出制御手段を備え、前記複数の演出装置を複数グループに分割し、該分割されたグループに属する演出装置を制御するためのグループ単位制御手段をグループ毎に設け、前記演出制御手段を、複数の前記グループ単位制御手段を統括的に制御するグループ統括制御手段として構成し、前記グループ統括制御手段は、前記グループ単位制御手段との間を接続するデータ線の信号レベルを制御することによりデータを伝達する信号レベル制御手段を備え、前記グループ単位制御手段は、遊技機に備わる可動部材を動作させることにより遊技の演出を行う可動装置のグループを制御する可動グループ単位制御手段と、発光することにより遊技の演出を行う発光装置のグループを制御する発光グループ単位制御手段と、を含み、前記グループ統括制御手段は、当該可動グループ単位制御手段が制御する前記可動部材を初期位置に戻す初期位置動作を実行させる一方で、該可動部材が初期位置に戻される間であっても、前記信号レベル制御手段は、前記発光グループ単位制御手段に対して発光制御データの伝達を行なうことを特徴とする。
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】変更
【補正の内容】
【００１５】
本発明によると、グループ統括制御手段とグループ単位制御手段とを接続する接続線の数を削減することができる。
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正書】
【提出日】平成26年10月29日(2014.10.29)
【手続補正１】
【補正対象書類名】特許請求の範囲
【補正対象項目名】全文
【補正方法】変更
【補正の内容】
【特許請求の範囲】
【請求項１】
ゲームを実行するゲーム制御装置であって、
ユーザ同士を関係付ける関係付け手段と、
前記ゲームを実行中の第１のユーザに対する前記ゲーム上のイベントに先立って、ゲーム状況を設定する設定手段と、
前記設定手段によって設定されたゲーム状況の下で、前記第１のユーザによる操作入力に関する情報に基づいて、前記イベントを発生させるイベント発生手段と、
を備え、
前記設定手段は、前記第１のユーザと関係付けられ、かつ所定期間内にアクセスしているユーザ数の値が大きいほど、前記第１のユーザの前記ゲーム上の結果が有利になるように、前記ゲーム状況を設定することを特徴とする、
ゲーム制御装置。
【請求項２】
前記設定手段は、前記イベントが２回以上連続して発生する場合には、２回目以降の前記イベントに先立って前記ゲーム状況を設定するときに、前記ユーザ数に代えて、前記ユーザ数からイベント毎に値を減らしたユーザ数に基づいて、前記ゲーム状況を設定することを特徴とする、
請求項１に記載されたゲーム制御装置。
【請求項３】
前記設定手段は、前記第１のユーザと関係付けられ、かつ所定期間内にアクセスしている第２のユーザが抽出された場合に、前記第１のユーザと前記第２のユーザとの前記ゲーム上の関係度合を示す親密度が高いほど、前記第１のユーザの前記ゲーム上の結果が有利になるように、前記ゲーム状況を設定することを特徴とする、
請求項１または２に記載されたゲーム制御装置。
【請求項４】
前記所定期間は、前記第１ユーザが前記ゲームにログインした時刻、または前記第１ユーザによる前記ゲームへのアクセスが行われる時刻を基準にして設定されることを特徴とする、
請求項１〜３のいずれかに記載されたゲーム制御装置。
【請求項５】
ゲームの実行を制御するために、コンピュータに
ユーザ同士を関係付ける機能、
前記ゲームを実行中の第１のユーザに対する前記ゲーム上のイベントに先立って、ゲーム状況を設定する機能、
前記設定する機能によって設定されたゲーム状況の下で、前記第１のユーザによる操作入力に関する情報に基づいて、前記イベントを発生させる機能、
を実現させるためのプログラムであって、
前記設定する機能は、前記第１のユーザと関係付けられ、かつ所定期間内にアクセスしているユーザ数の値が大きいほど、前記第１のユーザの前記ゲーム上の結果が有利になるように、前記ゲーム状況を設定することを特徴とする、
プログラム。
【請求項６】
通信端末と、当該通信端末からアクセスされ、前記通信端末によるゲームの実行を制御するサーバと、を含むゲームシステムであって、
ユーザ同士を関係付ける関係付け手段と、
前記ゲームを実行中の第１のユーザに対する前記ゲーム上のイベントに先立って、ゲーム状況を設定する設定手段と、
前記設定手段によって設定されたゲーム状況の下で、前記第１のユーザによる操作入力に関する情報に基づいて、前記イベントを発生させるイベント発生手段と、
を備え、
前記設定手段は、前記第１のユーザと関係付けられ、かつ所定期間内にアクセスしているユーザ数の値が大きいほど、前記第１のユーザの前記ゲーム上の結果が有利になるように、前記ゲーム状況を設定することを特徴とする、
ゲームシステム。
【手続補正２】
【補正対象書類名】明細書
【補正対象項目名】発明の名称
【補正方法】変更
【補正の内容】
【発明の名称】ゲーム制御装置、プログラム、ゲームシステム
【手続補正書】
【提出日】平成26年7月3日(2014.7.3)
【手続補正１】
【補正対象書類名】特許請求の範囲
【補正対象項目名】全文
【補正方法】変更
【補正の内容】
【特許請求の範囲】
【請求項１】
遊技場に設置され、内部に封入された遊技媒体を用いて遊技を行なう封入式の遊技機と通信可能に接続された遊技機器であって、
互いに通信可能に接続された第１の制御手段と第２の制御手段とを含み、
前記第１の制御手段と前記第２の制御手段とは、互いの認証に用いるペアの識別情報を記憶し、該識別情報を用いて認証処理を行ない、
前記認証処理は、
前記第２の制御手段においてチャレンジコードを生成して前記第１の制御手段に送信し、該第１の制御手段において記憶している識別情報を用いて受信したチャレンジコードからレスポンスコードを生成して前記第２の制御手段へ返信し、前記第２の制御手段において、記憶している識別情報を用いて受信したレスポンスコードの適否を判定する第１チャレンジレスポンス認証処理と、
前記第１の制御手段においてチャレンジコードを生成して前記第２の制御手段に送信し、該第２の制御手段において記憶している識別情報を用いて受信したチャレンジコードからレスポンスコードを生成して前記第１の制御手段へ返信し、前記第１の制御手段において、記憶している識別情報を用いて受信したレスポンスコードの適否を判定する第２チャレンジレスポンス認証処理とを含み、
前記第１の制御手段は、互いに通信可能に接続された上位機器との認証を行なう上位認証処理手段とを含み、
前記認証処理は、前記上位機器との相互認証が完了したことを条件に行なわれる、遊技機器。
【請求項２】
前記認証処理が完了して相互に認証された前記第１の制御手段と前記第２の制御手段との通信により、遊技可能に制御する遊技可能処理手段を含む、請求項１に記載の遊技機器。
【手続補正２】
【補正対象書類名】明細書
【補正対象項目名】０００７
【補正方法】変更
【補正の内容】
【０００７】
（１）  本発明は、遊技場に設置され、内部に封入された遊技媒体を用いて遊技を行なう封入式の遊技機と通信可能に接続された遊技機器（カードユニット３）であって、
互いに通信可能に接続された第１の制御手段（メイン制御部３２３または主制御基板１６，１１６）と第２の制御手段（ＣＵ通信制御部８０または払出制御部１７，１１７）とを含み、
前記第１の制御手段と前記第２の制御手段とは、互いの認証に用いるペアの識別情報（ＣＵ通信制御部のＳＩＤとメイン制御部のＳＩＤ、または払出制御部のＳＩＤと主制御基板のＳＩＤ）を記憶し、該識別情報を用いて認証処理を行ない（図２７の単体認証シーケンス）、
前記認証処理は、
前記第２の制御手段においてチャレンジコード（図２７のチャレンジコードＡ）を生成して前記第１の制御手段に送信し（単体認証応答１）、該第１の制御手段において記憶している識別情報（ＥＥＰＲＯＭ８０８に記憶されているメイン制御部のＳＩＤ）を用いて受信したチャレンジコードからレスポンスコード（図２７のレスポンコードＡ）を生成して前記第２の制御手段へ返信し（単体認証要求２）、前記第２の制御手段において、記憶している識別情報（ＥＥＰＲＯＭ８１３に記憶されているメイン制御部のＳＩＤ）を用いて受信したレスポンスコードの適否を判定する第１チャレンジレスポンス認証処理（ＣＵ通信制御部８０では、単体認証応答１として送信したチャレンジコードＡに対してＥＥＰＲＯＭ８１３に記憶しているメイン制御部のＳＩＤを所定のアルゴリズムに従って合成して同様にレスポンスコードＡを生成し、その生成したレスポンスコードＡとメイン制御部３２３から受信したレスポンスコードＡとを比較して一致するか否か判定する）と、
前記第１の制御手段においてチャレンジコード（図２７のチャレンジコードＢ）を生成して前記第２の制御手段に送信し（単体認証要求３）、該第２の制御手段において記憶している識別情報（ＥＥＰＲＯＭ８１３に記憶されているＣＵ通信制御部のＳＩＤ）を用いて受信したチャレンジコードからレスポンスコード（レスポンスコードＢ）を生成して前記第１の制御手段へ返信し（単体認証応答３）、前記第１の制御手段において、記憶している識別情報（ＥＥＰＲＯＭ８０８に記憶されているＣＵ通信制御部のＳＩＤ）を用いて受信したレスポンスコードの適否を判定する第２チャレンジレスポンス認証処理（メイン制御部３２３は、単体認証要求３として送信したチャレンジコードＢとＥＥＰＲＯＭ８０８に記憶しているＣＵ通信制御部のＳＩＤとを所定のアルゴリズムに従って合成して同様にレスポンスコードＢを生成し、その生成したレスポンスコードＢと単体認証応答３として受信したレスポンスコードＢとを比較して一致するか否か判定する）とを含み、
前記第１の制御手段は、互いに通信可能に接続された上位機器との認証を行なう上位認証処理手段とを含み、
前記認証処理は、前記上位機器との相互認証が完了したことを条件に行なわれる。
【手続補正３】
【補正対象書類名】明細書
【補正対象項目名】００１６
【補正方法】変更
【補正の内容】
【００１６】
このような構成によれば、互いに記憶している認証用情報を用いた第１認証処理と第２認証処理との結果適正である旨の認証を得て両認証用情報が正しいことが確認できた後に、それら認証用情報を利用して互いに暗号通信を行なうために、正しい認証用情報による適正な暗号通信を行なうことが可能となる。
（６）  上記（１）に記載の遊技機器において、前記認証処理が完了して相互に認証された前記第１の制御手段と前記第２の制御手段との通信により、遊技可能に制御する遊技可能処理手段を含む。
【手続補正書】
【提出日】平成26年4月14日(2014.4.14)
【手続補正１】
【補正対象書類名】特許請求の範囲
【補正対象項目名】全文
【補正方法】変更
【補正の内容】
【特許請求の範囲】
【請求項１】
遊技が可能な遊技機であって、
遊技制御処理プログラムに基づき遊技機における遊技制御を実行する制御用ＣＰＵが内蔵された遊技制御用マイクロコンピュータと、
前記遊技制御用マイクロコンピュータに内蔵又は外付けされ、乱数値となる数値データを生成する乱数回路とを備え、
前記乱数回路は、
数値データを予め定められた手順により更新して出力する数値更新手段と、
前記数値更新手段から出力された数値データを乱数値として取り込んで格納する乱数値格納手段とを含み、
前記遊技制御用マイクロコンピュータは、
前記乱数回路によって生成された乱数値に基づいて、前記制御用ＣＰＵにより所定の決定を行う制御決定手段と、
所定信号の入力に基づいて前記数値更新手段から出力された数値データが前記乱数値格納手段に格納されたときにオン状態にされて新たな数値データの格納を制限する一方、前記乱数値格納手段に格納された数値データが乱数値の読出タイミングにて前記制御用ＣＰＵにより読み出されたときにオフ状態にされて新たな数値データの格納を許可する所定のフラグとを含み、
前記数値更新手段による数値データの更新周期を規定するためのクロック信号と、前記制御用ＣＰＵの動作周期を規定するためのクロック信号とがあり、
前記制御決定手段は、前記所定の決定として、前記乱数回路によって生成された乱数値に基づいて、特定遊技状態とするか否かを決定するとともに、前記特定遊技状態とする旨が決定されたときに、乱数値に基づいて、前記特定遊技状態の種類を決定し、
前記遊技制御用マイクロコンピュータに内蔵され、前記遊技制御処理プログラムが含まれる制御プログラムを記憶する不揮発性メモリを備え、
前記遊技制御用マイクロコンピュータは、前記制御用ＣＰＵ以外による前記不揮発性メモリの外部読出を制限する読出制限回路を含む、
ことを特徴とする遊技機。
【手続補正２】
【補正対象書類名】明細書
【補正対象項目名】０００１
【補正方法】変更
【補正の内容】
【０００１】
本発明は、パチンコ遊技機等の遊技機に係り、詳しくは、遊技が可能な遊技機に関する。
【手続補正３】
【補正対象書類名】明細書
【補正対象項目名】０００８
【補正方法】変更
【補正の内容】
【０００８】
上記目的を達成するため、本願の請求項に係る遊技機は、遊技が可能な遊技機（例えばパチンコ遊技機１など）であって、遊技制御処理プログラムに基づき遊技機における遊技制御を実行する制御用ＣＰＵ（例えばＣＰＵ５０５など）が内蔵された遊技制御用マイクロコンピュータ（例えば遊技制御用マイクロコンピュータ１００など）と、前記遊技制御用マイクロコンピュータに内蔵又は外付けされ、乱数値となる数値データを生成する乱数回路（例えば乱数回路５０９など）とを備え、前記乱数回路は、数値データを予め定められた手順により更新して出力する数値更新手段（例えば乱数生成回路５５３や乱数列変更回路５５５など）と、前記数値更新手段から出力された数値データを乱数値として取り込んで格納する乱数値格納手段（例えば乱数値レジスタ５５９Ａ（Ｒ１Ｄ）や乱数値レジスタ５５９Ｂ（Ｒ２Ｄ）など）とを含み、前記遊技制御用マイクロコンピュータは、前記乱数回路によって生成された乱数値に基づいて、前記制御用ＣＰＵにより所定の決定を行う制御決定手段と、所定信号（例えば第１始動入賞信号ＳＳ１や第２始動入賞信号ＳＳ２に基づく乱数ラッチ信号ＬＬ１、ＬＬ２など）の入力に基づいて前記数値更新手段から出力された数値データが前記乱数値格納手段に格納されたときにオン状態にされて新たな数値データの格納を制限する一方、前記乱数値格納手段に格納された数値データが乱数値の読出タイミングにて前記制御用ＣＰＵにより読み出されたときにオフ状態にされて新たな数値データの格納を許可する所定のフラグ（例えば乱数ラッチフラグＲＤＦＭ１、ＲＤＦＭ２など）とを含み、前記数値更新手段による数値データの更新周期を規定するためのクロック信号と、前記制御用ＣＰＵの動作周期を規定するためのクロック信号とがあり、前記制御決定手段は、前記所定の決定として、前記乱数回路によって生成された乱数値に基づいて、特定遊技状態とするか否かを決定するとともに、前記特定遊技状態とする旨が決定されたときに、乱数値に基づいて、前記特定遊技状態の種類を決定し、前記遊技制御用マイクロコンピュータに内蔵され、前記遊技制御処理プログラムが含まれる制御プログラムを記憶する不揮発性メモリ（例えばＲＯＭ５０６など）を備え、前記遊技制御用マイクロコンピュータは、前記制御用ＣＰＵ以外による前記不揮発性メモリの外部読出を制限する読出制限回路（例えば内部リソースアクセス制御回路５０１Ａなど）を含む。
【手続補正４】
【補正対象書類名】明細書
【補正対象項目名】０００９
【補正方法】変更
【補正の内容】
【０００９】
このような構成によれば、所定信号の入力に基づいて数値データが乱数値格納手段に格納されたときに所定のフラグがオン状態にされて新たな数値データの格納が制限される一方、乱数値の読出タイミングにて乱数値格納手段から数値データが読み出されたときに所定のフラグがオフ状態にされて新たな数値データの格納が許可される。これにより、所定信号の入力に基づいて乱数値格納手段に格納された数値データを、正確な乱数値として取得することができる。
【手続補正５】
【補正対象書類名】明細書
【補正対象項目名】００１４
【補正方法】削除
【補正の内容】
【手続補正６】
【補正対象書類名】明細書
【補正対象項目名】０２５８
【補正方法】変更
【補正の内容】
【０２５８】
ステップＳ２にて読出値が“０００”と判定された場合には（ステップＳ２；Ｙｅｓ）、定常設定時間を既定の固定時間に設定する（ステップＳ３）。ここで、定常設定時間は、セキュリティ時間のうち、パチンコ遊技機１におけるシステムリセットの発生等に基づくセキュリティチェック処理の実行回数（遊技制御用マイクロコンピュータ１００がセキュリティモードとなる回数）に関わりなく、一定となる時間成分である。また、固定時間は、セキュリティ時間のうち、遊技制御用マイクロコンピュータ１００の仕様などに基づいて予め定められた不変時間成分であり、例えばセキュリティ時間として設定可能な最小値となるものであればよい。
【手続補正書】
【提出日】平成26年9月25日(2014.9.25)
【手続補正１】
【補正対象書類名】特許請求の範囲
【補正対象項目名】全文
【補正方法】変更
【補正の内容】
【特許請求の範囲】
【請求項１】
ブレーキ液の流路を形成する液圧ユニットと、前記流路の開閉を行い前記液圧ユニットの一面に取付けられる電磁弁と、前記電磁弁を取り囲むコイルユニットを少なくとも有し、
前記コイルユニットは、前記電磁弁を囲繞する筒部を有するボビンと、前記筒部に電線を巻きつけて形成したコイルと、前記コイルを収容するコイルハウジングを備えており、
前記コイルハウジングが前記液圧ユニットの一面に接した状態で前記コイルユニットが前記液圧ユニットに取り付けられている形式のブレーキ液圧制御装置において、
前記ボビンはその軸方向端部にフランジ部を備え、一方のフランジ部の外面が前記液圧ユニット側のコイルハウジングに内接しており、他方のフランジ部の外面に設けた突起がコイルハウジングの内壁に押圧されることにより前記コイルが前記コイルハウジングに支持されていることを特徴とするブレーキ液圧制御装置。
【請求項２】
請求項１記載のブレーキ液圧制御装置であって、前記コイルハウジングは前記液圧ユニットに接する平板ヨーク部と、コイルに周接する周接ヨーク部とから構成されており、前記平板ヨーク部と前記周接ヨーク部が嵌合することにより、前記突起が圧接されて前記コイルがコイルハウジングに支持されることを特徴とするブレーキ液圧制御装置。
【請求項３】
請求項１及び２記載のブレーキ液圧制御装置であって、前記ブレーキ液圧制御装置は更に前記電磁弁及び前記コイルユニットを収容する収容ケースを有しており、前記収容ケースは、その一部に弾性部材を介して前記コイルユニットの上面を前記液圧ユニット側へ押圧する押圧部を有しており、前記コイルユニットは、前記液圧ユニットの一面と前記押圧部により狭持されることを特徴とするブレーキ液圧制御装置。
【手続補正２】
【補正対象書類名】明細書
【補正対象項目名】００１８
【補正方法】変更
【補正の内容】
【００１８】
ＡＢＳ機能は、ブレーキペダル３０が踏まれている状態で、電磁弁１１，１２を適宜開閉することにより実現される。ブレーキペダル３０が踏まれている状態で電磁弁１１，１２が共にオフ状態に維持される（図１に示す状態）と、マスタシリンダ３１とホイルシリンダ４とが導通状態となる。この場合、ホイルシリンダ圧は、マスタシリンダ圧に向けて増圧される。以下、この状態を増圧モードと称す。
【手続補正書】
【提出日】平成26年1月31日(2014.1.31)
【手続補正１】
【補正対象書類名】特許請求の範囲
【補正対象項目名】全文
【補正方法】変更
【補正の内容】
【特許請求の範囲】
【請求項１】
感圧性接着性マトリックスを含む、スフェンタニルを皮膚を介して投与するためのモノリシック経皮デリバリーシステムであって、
前記感圧性接着性マトリックスは、
該マトリックスにおけるスフェンタニルの飽和点を超える量のスフェンタニル；及び
（ｉ）４５０，０００〜２，１００，０００の粘度平均分子量を有する高分子量ポリイソブチレン、及び（ｉｉ）１，０００〜４５０，０００の粘度平均分子量を有する低分子量ポリイソブチレン、のブレンド；
を含み、
前記システムは被験者に適用したとき該システムから皮膚を介して少なくとも約１μｇ／ｃｍ２／時のスフェンタニルの正味流束を与え、更に前記システムは該システムからのスフェンタニルの流束に対して剤形速度制御を与えるが、浸透エンハンサーも速度制御膜も含んでいない前記システム。
【請求項２】
システムによって与えられる剤形速度制御（ＪＮ／ＪＤ）は少なくとも約５０％である請求項１に記載の経皮デリバリーシステム。
【請求項３】
システムによって与えられる剤形速度制御（ＪＮ／ＪＤ）は少なくとも約６０％である請求項１に記載の経皮デリバリーシステム。
【請求項４】
システムは該システムから皮膚を介してスフェンタニルの実質的に一定の定常状態正味流束を少なくとも約２４時間与える請求項１に記載の経皮デリバリーシステム。
【請求項５】
システムは少なくとも１．５μｇ／ｃｍ２／時のスフェンタニルの実質的に一定の定常状態正味流束（ＪＮ）を与える請求項１に記載の経皮デリバリーシステム。
【請求項６】
システムはスフェンタニルの実質的に一定の定常状態正味流束（ＪＮ）を少なくとも約３６時間与える請求項４に記載の経皮デリバリーシステム。
【請求項７】
システムは被験者に適用したときスフェンタニルを約１〜２０μｇ／時で投与するのに十分な定常状態正味流束を与える請求項４に記載の経皮デリバリーシステム。
【請求項８】
スフェンタニルはシステム中に全システムの約１〜２０ｗｔ％の量で存在している請求項１に記載の経皮デリバリーシステム。
【請求項９】
被験者に適用したとき無痛覚を３日間以上誘導し、維持するのに十分な量のスフェンタニルを含有している請求項８に記載の経皮デリバリーシステム。
【請求項１０】
被験者に適用したとき無痛覚を５日間以上誘導し、維持するのに十分な量のスフェンタニルを含有している請求項８に記載の経皮デリバリーシステム。
【請求項１１】
被験者に適用したとき無痛覚を７日間以上誘導し、維持するのに十分な量のスフェンタニルを含有している請求項８に記載の経皮デリバリーシステム。
【請求項１２】
接着性マトリックスは約１〜１０ｃｍ２の薬物放出界面表面積を有する請求項１に記載の経皮デリバリーシステム。
【請求項１３】
バッキング層；
感圧性接着性層；及び
剥離ライナー；
を含む接着剤システムであって、
前記感圧性接着性層が
４５０，０００〜２，１００，０００の粘度平均分子量を有する高分子量ポリイソブチレン、
１，０００〜４５０，０００の粘度平均分子量を有する低分子量ポリイソブチレン、
可塑剤、及び
蔗糖酢酸イソ酪酸エステル
を含む、前記接着剤システム。
【請求項１４】
速度制御膜を含んでいない、請求項１３に記載のシステム。
【請求項１５】
浸透エンハンサーを含んでいない、請求項１３又は１４に記載のシステム。
【請求項１６】
高分子量ポリイソブチレンが約１，１００，０００の粘度平均分子量を有する、請求項１３、１４又は１５に記載のシステム。
【請求項１７】
低分子量ポリイソブチレンが約５０，０００〜５５，０００の粘度平均分子量を有する、請求項１３〜１６のいずれかに記載のシステム。
【請求項１８】
可塑剤がポリブテンを含む、請求項１３〜１７のいずれかに記載のシステム。
【手続補正書】
【提出日】平成26年9月18日(2014.9.18)
【手続補正１】
【補正対象書類名】特許請求の範囲
【補正対象項目名】全文
【補正方法】変更
【補正の内容】
【特許請求の範囲】
【請求項１】
疎水化変性アルキルセルロース；炭酸塩及び重炭酸塩からなる群から選ばれる少なくとも１種の塩；並びに水溶性酸を含み、
前記疎水化変性アルキルセルロースが、
下記構造式（１）：
【化１】
2013079282.tif 000001
［式中、Ｒ１、Ｒ２及びＲ３は同一又は異なって、水素原子、低級アルキル基、
基：−［ＣＨ２ＣＨ２−ｋ（ＣＨ３）ｋＯ］ｍＨ、
又は、基：−ＣＨ２ＣＨ（ＯＨ）ＣＨ２ＯＣｊＨ２ｊ＋１である。
ｎは１００〜１００００の整数、ｋは０又は１の整数、ｍは１〜１０の整数、
ｊは６〜２６の整数を示す。］
で表されるものであって、
該疎水化変性アルキルセルロースが、基：−ＣＨ２ＣＨ（ＯＨ）ＣＨ２ＯＣｊＨ２ｊ＋１を必ず含むものである、スキンケア製剤、血行促進剤又は血管拡張剤。
【手続補正書】
【提出日】平成26年4月11日(2014.4.11)
【手続補正１】
【補正対象書類名】特許請求の範囲
【補正対象項目名】全文
【補正方法】変更
【補正の内容】
【特許請求の範囲】
【請求項１】
単離されたヒト抗ＴＮＦα抗体又はその抗原結合部分、及び薬学的に許容される担体を含む医薬組成物であって、
前記組成物は、カテプシンＬ速度論アッセイによって測定されるとき、約３．０ＲＦＵ／秒／ｍｇ抗体のカテプシンＬ活性として示されるレベル以下のプロカテプシンＬのレベルを有し、
前記抗ＴＮＦα抗体またはその抗原結合部分は、配列番号３のアミノ酸配列、又は位置１、４、５、７若しくは８において、単一のアラニン置換によって配列番号３から修飾されたアミノ酸配列を含む軽鎖ＣＤＲ３ドメイン；配列番号５のアミノ酸配列を含む軽鎖ＣＤＲ２ドメイン；並びに配列番号７のアミノ酸配列を含む軽鎖ＣＤＲ１ドメインを含む軽鎖可変領域を含む軽鎖を含み；
配列番号４のアミノ酸配列、又は位置２、３、４、５、６、８、９、１０若しくは１１において、単一のアラニン置換によって配列番号４から修飾されたアミノ酸配列を含む重鎖ＣＤＲ３ドメイン；配列番号６のアミノ酸配列を含む重鎖ＣＤＲ２ドメイン；並びに配列番号８のアミノ酸配列を含む重鎖ＣＤＲ１ドメインを含む重鎖可変領域を含む、医薬組成物。
【請求項２】
カテプシンＬ速度論アッセイによって測定されるとき、約０．５から約１．５ＲＦＵ／秒／ｍｇ抗体の範囲のカテプシンＬ活性として示される範囲の間のプロカテプシンＬのレベルを有する、請求項１に記載の医薬組成物。
【請求項３】
単離されたヒト抗ＴＮＦα抗体またはその抗原結合部分、及び薬学的に許容される担体を含む医薬組成物であって、
前記組成物は、カテプシンＬ速度論アッセイによって測定されるとき、約１．８４ＲＦＵ／秒／ｍｇ抗体のカテプシンＬ活性として示されるレベル以下のプロカテプシンＬのレベルを有し、
前記抗ＴＮＦα抗体またはその抗原結合部分は、配列番号３のアミノ酸配列、又は位置１、４、５、７若しくは８において、単一のアラニン置換によって配列番号３から修飾されたアミノ酸配列を含む軽鎖ＣＤＲ３ドメイン；配列番号５のアミノ酸配列を含む軽鎖ＣＤＲ２ドメイン；並びに配列番号７のアミノ酸配列を含む軽鎖ＣＤＲ１ドメインを含む軽鎖可変領域を含む軽鎖を含み；
配列番号４のアミノ酸配列、又は位置２、３、４、５、６、８、９、１０若しくは１１において、単一のアラニン置換によって配列番号４から修飾されたアミノ酸配列を含む重鎖ＣＤＲ３ドメイン；配列番号６のアミノ酸配列を含む重鎖ＣＤＲ２ドメイン；並びに配列番号８のアミノ酸配列を含む重鎖ＣＤＲ１ドメインを含む重鎖可変領域を含む、医薬組成物。
【請求項４】
前記組成物が、カテプシンＬ速度論アッセイによって測定されるとき、約１．３ＲＦＵ／秒／ｍｇ抗体のカテプシンＬとして示されるレベル以下のプロカテプシンＬのレベルを有する、請求項３に記載の医薬組成物。
【請求項５】
前記組成物が、カテプシンＬ速度論アッセイによって測定されるとき、約０．６ＲＦＵ／秒／ｍｇ抗体のカテプシンＬとして示されるレベル以下のプロカテプシンＬのレベルを有する、請求項３に記載の医薬組成物。
【請求項６】
カテプシンＬ速度論アッセイが、０．５μｇ／ｍｌデキストラン硫酸を用いてｐＨ５．５で組成物サンプル中のプロカテプシンＬを活性化すること、及び前記活性化された試料をＺ−ロイシン−アルギニン−ＡＭＣ（７−アミノ−４−メチルクマリン）と接触させることを含む、請求項１〜５のいずれか一項に記載の医薬組成物。
【請求項７】
前記抗体が、配列番号１に記載のアミノ酸配列を含む軽鎖可変領域（ＬＣＶＲ）及び配列番号２に記載のアミノ酸配列を含む重鎖可変領域（ＨＣＶＲ）を含む、請求項１〜６のいずれか一項に記載の医薬組成物。
【請求項８】
前記抗体が、重鎖ＩｇＧ１定常領域又は重鎖ＩｇＧ４定常領域を含む、請求項１〜７のいずれか一項に記載の医薬組成物。
【請求項９】
前記抗体が、κ軽鎖定常領域を含む、請求項７又は８に記載の医薬組成物。
【請求項１０】
前記抗体がアダリムマブである、請求項１〜９に記載の医薬組成物。
【請求項１１】
アダリムマブを５０ｍｇ／ｍＬの濃度で含む、請求項１０に記載の医薬組成物。
【請求項１２】
抗体が、哺乳動物細胞発現系において産生される、請求項１〜１１のいずれか一項に記載の医薬組成物。
【請求項１３】
前記哺乳動物細胞発現系が、チャイニーズハムスター卵巣（ＣＨＯ）細胞である、請求項１２に記載の医薬組成物。
【請求項１４】
ＴＮＦα活性が有害である疾患の治療に使用するための、請求項１〜１３のいずれか一項に記載の医薬組成物であって、前記疾患が、敗血症、自己免疫疾患、感染疾患、移植、悪性疾患、肺疾患、腸疾患、心疾患、脊椎関節症、代謝疾患、貧血、疼痛、肝疾患、皮膚疾患、爪疾患及び血管炎からなる群から選択される、医薬組成物。
【請求項１５】
ＴＮＦα活性が有害である疾患の治療に使用するための、請求項１〜１３のいずれか一項に記載の医薬組成物であって、前記疾患が、関節リウマチ、リウマチ様脊椎炎、骨関節炎、通風性関節炎、アレルギー、多発性硬化症、自己免疫性糖尿病、自己免疫性ブドウ膜炎、ネフローゼ症候群からなる群から選択される、医薬組成物。
【請求項１６】
ＴＮＦα活性が有害である疾患の治療に使用するための、請求項１〜１３のいずれか一項に記載の医薬組成物であって、前記疾患が関節リウマチである、医薬組成物。
【請求項１７】
ＴＮＦα活性が有害である疾患の治療に使用するための、請求項１〜１３のいずれか一項に記載の医薬組成物であって、前記疾患がクローン病である、医薬組成物。
【請求項１８】
ＴＮＦα活性が有害である疾患の治療に使用するための、請求項１〜１３のいずれか一項に記載の医薬組成物であって、前記疾患が潰瘍性大腸炎である、医薬組成物。
【請求項１９】
ＴＮＦα活性が有害である疾患の治療に使用するための、請求項１〜１３のいずれか一項に記載の医薬組成物であって、前記疾患が強直性脊椎炎である、医薬組成物。
【請求項２０】
ＴＮＦα活性が有害である疾患の治療に使用するための、請求項１〜１３のいずれか一項に記載の医薬組成物であって、前記疾患が乾癬性関節炎である、医薬組成物。
【請求項２１】
ＴＮＦα活性が有害である疾患の治療に使用するための、請求項１〜１３のいずれか一項に記載の医薬組成物であって、前記疾患が乾癬である、医薬組成物。
【請求項２２】
ＴＮＦα活性が有害である疾患の治療に使用するための、請求項１〜１３のいずれか一項に記載の医薬組成物であって、前記疾患が若年性リウマチ関節炎である、医薬組成物。
【請求項２３】
梱包材及び請求項１〜２２のいずれか一項に記載の医薬組成物を含む製品。
【手続補正書】
【提出日】平成26年9月16日(2014.9.16)
【手続補正１】
【補正対象書類名】特許請求の範囲
【補正対象項目名】全文
【補正方法】変更
【補正の内容】
【特許請求の範囲】
【請求項１】
ラクトフェリンを有効成分として含有することを特徴とする更年期障害改善及びＱＯＬ改善用組成物。
【請求項２】
経口製剤である、請求項１記載の組成物。
【請求項３】
腸溶性製剤である、請求項１又は２記載の組成物。
【請求項４】
ラクトフェリンの１日あたりの投与量が１０mg乃至１５，０００mgである、請求項１〜３のいずれか１項記載の組成物。